(57)【特許請求の範囲】
【請求項１】
床スラブ上に配置された複数本の大引ビームによって床板体を支持させ、前記各大引ビームの長さ方向の両端部が、床スラブとの間に弾性緩衝体を備えた両端制振器によって床スラブ上に支持された床下構造体において、前記大引ビームの上面と床板体との間には弾性緩衝体が介装され、前記大引ビームの長さ方向の両端部間には、この大引ビームの長さ方向に適当間隔おきに中間制振部が配設され、これら各中間制振部は、大引ビームの底面板と床スラブとの間の空隙に充填された弾性緩衝体で構成されている、床スラブ上の床下構造体。
【請求項２】
前記中間制振部は、大引ビームの底面板に設けられた充填穴を通じて当該底面板の上から充填された弾性緩衝体で構成されている、請求項１に記載の床スラブ上の床下構造体。
【請求項３】
前記大引ビームは中空矩形断面形状のもので、その側面には空気流通用穴が設けられ、この空気流通用穴と大引ビームの底面板に設けられた前記充填穴とを通じて弾性緩衝体を充填できるように構成されている、請求項２に記載の床スラブ上の床下構造体。
【請求項４】
床スラブ上に配置された複数本の大引ビームによって床板体を支持させ、前記各大引ビームの長さ方向の両端部が、床スラブとの間に弾性緩衝体を備えた両端制振器によって床スラブ上に支持された床下構造体において、前記大引ビームの上面と床板体との間には弾性緩衝体が介装され、前記大引ビームの長さ方向の両端部間には、この大引ビームの長さ方向に連続する中間帯状制振部が配設され、この中間帯状制振部は、大引ビームの底面板と床スラブとの間の空隙に充填された弾性緩衝体で構成されている、床スラブ上の床下構造体。
【請求項５】
前記中間帯状制振部は、大引ビームの底面板と床スラブとの間で当該底面板の巾方向に間隔を隔てて互いに平行に配置された左右一対のガイド間に充填された弾性緩衝体で構成されている、請求項４に記載の床スラブ上の床下構造体。
【発明の詳細な説明】
【技術分野】
【０００１】
本発明は、コンクリート躯体の梁間に打設する床スラブ（コンクリートスラブ）と床下構造体と床板体を振動絶縁接合し、しかも床スラブ厚を構造性能上必要とされる最小の厚さに薄くしても剛性を高め、且つ床下構造体の高さをコンパクトに低くすることを可能にして、制振性能、遮音性能及び歩行性能を高めた画期的な床スラブ上の床下構造体に関するものである。
【背景技術】
【０００２】
従来、床下構造体は、例えば正梁構造のコンクリート躯体を備えた建物では、その床スラブ上に複数の束を立てると共に躯体縁には、大引をアンカー止めし、さらにその大引上に根太をアンカー止めし、根太の上に床板体を敷設するなど一体的に結合した構造となっているため、床板体に加わる振動が、根太と大引と束から床スラブを介して増大し、他の居住空間、特に階下の居住空間に大きな振動・騒音となって伝わる。このため床下構造体には、前記の振動・騒音に対する制振・遮音対策が必要となっている。
【０００３】
このような背景において、床板体から床下構造体を介して他の居住空間に伝わる振動・騒音を低減するため、種々の改良を加えた制振・遮音床下構造の開発が進められてきた。
【０００４】
その開発内容は、以下の特許文献に記載の例のように、床スラブと前記床板体との間において、床下構造体の内部、前記床下構造体と床板体との間等に、適宜に空間部、空気流通隙間、弾性緩衝体（材）等を配置する等多義に亘っているが、これらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。
【０００５】
又、床スラブ自体を水平面と傾斜面及び段差を組合せて床支持スパン方向のスラブ厚さと形状が異なる変断面したものや、スラブ中央部分の上面又は下面若しくは上・下両面に、厚さが異なる金属板を一体的に付設して床剛性を高め且つ構造断面厚さを変化させたもの等のように、複雑な施工に多くの材料と時間と費用を必要とする採用し難い構造もある。
【０００６】
一方、床上空間はこの床下構造体に左右されずに居住のための必要な所要高さの空間を確保しなければならない制約を伴う。これらのことから床スラブ及び床下構造体コストの低減が極めて困難なものとなっている。更に、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００７】
【特許文献１】特許第４２１９６５３号公報「束石の上に床材を敷設する建物の床改修工法」概要：床スラブ上に束石−木製の大引材−根太材−捨貼り材−フローリング材を順次敷設した床下構造体の床改修工法で、束石、大引材、根太材を再利用し、束石上に高さ調整具と緩衝材を配置し、根太材の上に捨貼り材、フローリング材を敷設した床改修工法。
【特許文献２】特許第２６４６４６９号公報「RC構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体又はフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と、鉛直躯体部分と、この逆梁上に、大引と根太よりなる床枠を架設し、この床枠上に床板を敷設し、この床板上に床上空間を、又床板下に床下空間をそれぞれ形成してなる建物において、大引を弾性緩衝体を介して嵌着する金物を一対の立設ガイド片で支持し、前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引の上に根太を介して床材を支持する。大引の端部及び床材の端部と逆大梁との間に間隙を形成し、大引は弾性変形可能なΣ形鋼にして遮音性を向上させた建築物の床構造。
【特許文献８】特開２００６−９２４９号公報「変断面コンクリート床スラブ構造」概要：梁と繋がるスラブの端部は構造性能上必要とされる最小の厚さとされ、中央部分は前記最小の厚さよりも厚く形成されており、スラブ下端面は住戸の奥行き方向に直線的に下る傾斜面に形成され、スラブを床支持スパンの全体で見ると水平面と傾斜面及び段差の組合せで床支持スパン方向のスラブ厚さと形状が異なる変断面の構成として遮音性能を向上させた。
【特許文献９】特開２００７−７７５７０号公報「金属板（主として鋼板）付き変剛性コンクリート床スラブ」概要：コンクリートスラブの構造断面は構造性能上必要とされる最小の厚さを基本寸法として形成され、少なくともスラブ中央部分の上面又は下面若しくは上・下両面に、厚さが異なる金属板が一体的に付設されて床剛性が高められ、且つ構造断面厚さを変化させて遮音性能が向上した。
【発明の概要】
【発明が解決しようとする課題】
【０００８】
本発明は、床スラブと床下構造体と床板体とを振動絶縁係合し、しかも高さの低い組み立て簡易な軽量堅牢な床下構造体にすることにより、制振性能、遮音性能及び歩行性能を高くし、しかも新築建造物では、床スラブを複雑な断面変化構造にすることなく床スラブの厚みを構造性能上必要とされる最小の厚さに薄くしてコストを大幅に低減可能にし、リフォーム建造物では、既成の床スラブを活かし且つ必須の床上居住空間を確保できる画期的な床スラブ上の床下構造体を提供するものである。
【課題を解決するための手段】
【０００９】
本発明は、上記のような従来の問題点を解消することのできる床下構造体を提案するものであって、第一発明に係る床下構造体は、床スラブ上に配置された複数本の大引ビームによって床板体を支持させ、前記各大引ビームの長さ方向の両端部が、床スラブとの間に弾性緩衝体を備えた両端制振器によって床スラブ上に支持された床下構造体において、前記大引ビームの上面と床板体との間には弾性緩衝体が介装され、前記大引ビームの長さ方向の両端部間には、この大引ビームの長さ方向に適当間隔おきに中間制振部が配設され、これら各中間制振部は、大引ビームの底面板と床スラブとの間の空隙に充填された弾性緩衝体で構成されている。
【００１０】
又、第二発明に係る床下構造体は、床スラブ上に配置された複数本の大引ビームによって床板体を支持させ、前記各大引ビームの長さ方向の両端部が、床スラブとの間に弾性緩衝体を備えた両端制振器によって床スラブ上に支持された床下構造体において、前記大引ビームの上面と床板体との間には弾性緩衝体が介装され、前記大引ビームの長さ方向の両端部間には、この大引ビームの長さ方向に連続する中間帯状制振部が配設され、この中間帯状制振部は、大引ビームの底面板と床スラブとの間の空隙に充填された弾性緩衝体で構成されている。
【００１２】
上記本発明の床下構造体は、具体的には次のように実施することができる。
即ち、第一発明に関しては、
(1)前記中間制振部は、大引ビームの底面板に設けられた貫通孔を通じて当該底面板の    上から充填された弾性緩衝体で構成することができる。前記大引ビームが中空矩形断    面形状のもので、その側面には空気流通用穴が設けられている場合、この空気流通用    穴と大引ビームの底面板に設けられた前記貫通孔とを通じて弾性緩衝体を充填できる    ように構成することができる。
第二発明に関しては、
(2)前記中間帯状制振部は、大引ビームの底面板と床スラブとの間で当該底面板の巾方    向に間隔を隔てて互いに平行に配置された左右一対のガイド間に充填された弾性緩衝    体で構成することができる。
【発明の効果】
【００１３】
本発明の床スラブ上の床下構造体によれば、実施例に具体的な効果を紹介したように、床下構造体の上下を振動絶縁接続部でサンドイッチ式に振動絶縁接合して、床スラブと床板体との間に配置し、しかも床下構造体自体を、高さの低い組み立て簡易な軽量堅牢な構造にし、且つ上記のように増厚支持台部により床スラブの剛性と遮音性能を効率よく高めることにより、制振性能、遮音性能及び歩行性能を格段に高くし、しかも新築建造物では、床スラブを薄くしてコストを大幅に低減可能にし、リフォーム建造物では、既成の床スラブを活かし且つ必須の床上居住空間を確保できる、というような画期的な効果を得ることができる。
【図面の簡単な説明】
【００１４】
【図１】図１は、基本構成を説明する一部切欠き斜視図である。
【図２】図２は、第一発明の実施例を示すもので、図２Ａは、大引ビームを横側面側から見た縦断側面図であり、図２Ｂは、その大引ビーム端部の拡大図である。
【図３】図３は、両端制振器を示す、大引ビームを端面側から見た正面図である。
【図４】図４は、中間制振部を示す縦断正面図である。
【図５】図５は、第二発明の実施例を示すもので、図５Ａは、大引ビームを横側面側から見た縦断側面図であり、図５Ｂは、その要部の縦断正面図である。
【図６】図６Ａ〜図６Ｅは、大引ビームの各種断面構造を示す縦断正面図である。
【発明を実施するための形態】
【００１５】
第一発明の実施例を、図１〜図４に基づいて詳細に説明すると、この実施例の床スラブ上の床下構造体１は、床スラブ２と床板体３との間に配設されるもので、複数本の大引ビーム４、複数本のサブビーム５、上振動絶縁接続部６、及び下振動絶縁接続部７によって構成されている。大引ビーム４は、床スラブ１上に互いに平行に配置され、サブビーム５は、隣り合う大引ビーム４どうしを連結するもので、大引ビーム４と直交する向きで互いに平行に配置されている。
【００１６】
大引ビーム４は、金属製で断面形状がほぼ矩形の中空建材で構成され、その側面に複数の空気流通用穴８が切欠成形され、又、サブビーム連結箇所には、側面の肩部に、側面から上面にわたって倒立Ｌ字状に、サブビーム５との接合用の切欠部９が設けられている。この大引ビーム４は、その両端部が床スラブ１を支持している梁部１０の上に位置するように配置されている。尚、大引ビーム４は、中空矩形断面に限られるものではなく、図６Ａに示すリップ付き溝形断面の大引ビーム４Ａ、図６Ｂに示すリップ無し溝形断面の大引ビーム４Ｂ、図６Ｃに示すＨ形断面の大引ビーム４Ｃ、図６Ｄに示す、両側板の中央部を窪ませた変形中空矩形断面の大引ビーム４Ｄ、及び図６Ｅに示すΣ形断面の大引ビーム４Ｅ等、各種断面形状のものが利用できる。
【００１７】
サブビーム５は、大引ビーム４の配置間隔や床板体３への載置負荷によっては配置する必要がない場合がある。この実施例で採用したサブビーム５は、大引ビーム４の側面の上部間に互いに平行に配置した、下側開放形の横断面がコ字状の金属製建材であり、その長さ方向の両端には左右一対の下向きのフック１１が一体に形成されている。このサブビーム５は、図示の実施例のコ字形断面の他に、大引ビーム４と同様に、リップ付き溝形断面、リップ無し溝形断面、Σ形断面、Ｈ形断面、両側板の中央部を窪ませた変形中空矩形断面、Ｙ型断面等、各種断面形状のものが利用できる。
【００１８】
大引ビーム４とサブビーム５とは、大引ビーム４の切欠部９にサブビーム５のフック１１を上から挿入して着脱可能に嵌めて接続される。この実施例の床スラブ上の床下構造体１では、大引ビーム４に対してその高さの範囲内にサブビーム５を簡便な施工方法により着脱可能に連結できる構成であるから、床下構造体１の高さは、大引ビーム４の高さの範囲内に抑えることができ、全高の低い軽量堅牢な床下構造体１とすることができる。このため新築建造物では、床スラブ２の軽量化を可能にし、床スラブ２の築造コストを大幅に低減可能にし、リフォーム建造物では、床スラブ２を現状維持可能にして施工できる等の画期的に優れた効果を呈するものである。
【００１９】
大引ビーム４の上面には、上振動絶縁接続部６を構成する防振ゴムからなる弾性緩衝体１２を介して床板体３が敷設されている。床板体３は、木製のパーチクルボード（各種ベニヤ合板やチップ圧縮板等の床パネル等）１３と、その上に配設した木製の無垢板、化粧合板等のフロ−リング材１４とからなる。弾性緩衝体１２は、そのフラットな下面において大引ビーム４の上面に接着接合されると共に、そのフラットな上面において前記床板体３と接着接合させる。この弾性緩衝体１２からなる上振動絶縁接続部６の存在により、床板体３の施工性を向上させ且つ大引ビーム４（床下構造体１）上に床板体３を非干渉的に載置支持して制振性と歩行性を向上させることができる。
【００２０】
下振動絶縁接続部７は、各大引ビーム２と床スラブ１との間に配設された両端制振器１５と中間制振部１６とからなる。両端制振器１５は、大引ビーム２の長さ方向の両端部に配置されたもので、逆π型のビーム載置座１７、左右一対のπ型台座１８ａ，１８ｂ、各π型台座１８ａ，１８ｂ上に立設されて大引ビーム２の左右両側に位置する左右一対の脚体１９ａ，１９ｂ、ビーム載置座１７と大引ビーム２の底面との間に介装された耐圧・耐振性の合成樹脂ゴム製の弾性緩衝体２０、及び各π型台座１８ａ，１８ｂと床スラブ１との間に充填されて両者を接着接合するシリコン樹脂製の弾性緩衝体２１ａ，２１ｂから構成されている。この両端制振器１５によれば、ビーム載置座１７の上側解放の中央凹部内に前記弾性緩衝体２０を介して大引ビーム２の端部を嵌合させ、下面に弾性緩衝体２１ａ，２１ｂを接着した左右一対のπ型台座１８ａ，１８ｂを、大引ビーム２の左右両側（図示のように大引ビーム２の底部の左右両側）に位置するように床スラブ１上に設置し、これらπ型台座１８ａ，１８ｂの各脚体１９ａ，１９ｂに螺嵌させた上下一対のナット２２ａ，２２ｂ間でビーム載置座１７の両翼板部を挟み付けるようにして、ビーム載置座１７を支持させるのであるが、前記上下一対のナット２２ａ，２２ｂの高さ調整により、支持するビーム載置座１７（大引ビーム２の端部）の床スラブ１上の高さを調整することができる。このようにして両端制振器１５による大引ビーム２の両端の支持高さの調整により、全ての大引ビーム２を所定レベルに合わせて水平に支持させることができる。
【００２１】
尚、各脚体１９ａ，１９ｂは、π型台座１８ａ，１８ｂの下側解放の中央凸部に上向きに貫通させたボルトからなり、その中央凸部内に嵌合するボルト頭部２３ａ，２３ｂと当該ボルトに螺嵌させた押えナット２４ａ，２４ｂによりπ型台座１８ａ，１８ｂの中央凸部を挟み付け、当該ボルトをπ型台座１８ａ，１８ｂに固定して脚体１９ａ，１９ｂを構成している。
【００２２】
上記構成の両端制振器１５によれば、大引ビーム４からの左右上下等の振動は、弾性緩衝体２０、ビーム載置座１７、一対の脚体１９ａ，１９ｂ、π型台座１８ａ，１８ｂ、及び弾性緩衝体２１ａ，２１ｂを順次介して床スラブ２へ伝播される間に吸収緩衝されるのであるが、ビーム載置座１７が逆π型金物であって、その両翼板部がそれぞれ脚体１９ａ，１９ｂで支持される構造であり、そして脚体１９ａ，１９ｂを支持する台座がπ型台座１８ａ，１８ｂであって、その中央凸部で脚体１９ａ，１９ｂを支持する構造であるため、両端制振器１５全体として、大引ビーム４に対して優れた弾性クッション機能を発揮する。
【００２３】
中間制振部１６は、大引ビーム４の長さ方向の両端間に所定間隔で配置されるもので、大引ビーム４の底面板に設けられた充填穴２６から充填機２５を利用して当該大引ビーム４の底面板と床スラブ２との間の空隙内に充填された弾性緩衝体２７により形成されている。この大引ビーム４の長さ方向において点状に配置された各中間制振部１６により、大引ビーム４と床スラブ２との間に空気が流通する隙間を確保し、大引ビーム４間の空間を連通開放して振動や騒音の共鳴や増幅を防止しながら、床下構造体１から床スラブ２に伝わる上下左右等の振動や騒音を吸収して、制振性能や遮音性能、歩行性能を向上させることができる。
【００２４】
尚、大引ビーム４の側面に設けられる空気流通用穴８は、大引ビーム４間の空間を互いに連通開放して空気振動や騒音及び反響音を低減し、共鳴や増幅を防止すると同時に、設備配管、空調用の空気口等として活用することができるのであるが、図４に示すように、大引ビーム４が中空矩形断面のものである場合、その大引ビーム４の側面に設けられる空気流通用穴８と前記中間制振部１６の大引ビーム４の長さ方向の位置を合わせて、当該空気流通用穴８から大引ビーム４内に差し込んだ充填機２５の注入口を当該大引ビーム４の底面板に設けられた前記充填穴２６に挿入できるように構成することができる。
【００２５】
図５に示す第二発明の実施例は、第一発明の上記実施例とは、下振動絶縁接続部７を両端制振器１５と共に構成する中間制振部１６に代えて、中間帯状制振部２８が設けられている点で異なるだけである。即ち、この第二発明の実施例における中間帯状制振部２８は、大引ビーム４の底面板と床スラブ２との間の空隙内の大引ビーム４の長さ方向の所定区間内に、弾性緩衝体２９を帯状に充填接合して構成したものである。具体的には、その中間帯状制振部２８の形成領域には、大引ビーム４の底面板の巾方向に間隔を隔てて互いに平行に配置したスポンジ製の左右一対のガイド３０ａ，３０ｂが配置され、この左右一対のガイド３０ａ，３０ｂ間に弾性緩衝体２９を充填接合している。
【００２６】
上記の中間帯状制振部２８により、床板体３から大引ビーム４に伝わる上下左右等の多方向からの振動を受けても、床スラブ２の不陸に追従してその振動を吸収緩衝し、歩行性能を向上させると同時に、床スラブ２への振動や騒音の伝播を遮断するものである。又、スポンジ製のガイド３０ａ，３０ｂは、空気振動を緩衝し、且つ充填した弾性緩衝体２９を粉塵気体、高温空気や低温空気から保護して、その劣化を長期にわたって防止し、中間帯状制振部２８の制振機能と遮音機能を良好に維持するのである。
【００２９】
尚、上記第一発明及び第二発明を実施する場合、両端制振器１５は各実施例に示したように、大引ビーム４（４Ａ）を床スラブ２に接近する低レベルで支持できるものが望ましいが、大引ビーム４の支持高さが高くなるときや床板体３上に重量物を載置する場合は、図６の各図に示すように、左右一対のπ型台座１８ａ，１８ｂを繋ぎ材３８により連結一体化し、両端制振器１５を、門形構造ではなく矩形枠構造体として座屈強度を増大させることができる。
【００３０】
以上のように、上記各実施例の床下構造体は、床スラブ２上で床板体３を、振動の非干渉型に支持するものであり、制振性能、遮音性能及び歩行性能を著しく向上させることができるが、その派生効果を列記すると次のようになる。
○二重床でありながら床スラブ厚は、従来200mm以上に設計施工していたものを約138mmの低厚化を実現し、更に増厚支持台部を併設するときは、薄厚の床スラブ全体の剛性をバランス良く高めることができる。
○振動を伝える媒体となる束を皆無にして音の伝播を低減できる。
○遮音性能を床スラブ厚に頼ることなく、構造的には必要のないスラブ厚の増加を防ぎ、建物全体の軽量化が図れる。
○躯体工事費は、床スラブを135mmと軽量化にした場合、建造物の柱、梁、基礎等も削減でき、躯体コストは均質単板スラブ（厚み150mm、180mm、200mm）やポイドスラブ、アンポイドＰＣスラブとの比較で８〜30％の低減が図れる。
○設備工事費は、設備配線、配管の躯体内への打ち込みを無くして異業種の共同作業を削減できる。
○設備配線、配管の露出配置が可能で、メンテナンスが容易に行え、その労力、時間、費用を軽減し、コスト面の負担を大きく軽減できる。
○躯体と居住床を分離する発想は、メンテナンスや生活環境の変化にも容易に対応することができるため、国土交通省が進めるＳＩ住宅そのものの発想と共通し、長期優良住宅（建設寿命＝躯体寿命）の発想に繋がる。
○以上のことから高耐久性住宅化の実現が可能になり、建物を長く安全に活用でき、ライフサイクルコストの削減に大きく貢献する。
【産業上の利用可能性】
【００３１】
本発明の床下構造体は、正梁構造の床スラブを有する建物の床を二重構造とする場合に、その床の制振性能、遮音性能、歩行性能を高めることができる、施工の簡便な床下構造体として活用できる。
【符号の説明】
【００３２】
１    床下構造体
２    床スラブ
３    床板体
４，４Ａ〜４Ｅ    大引ビーム
５    サブビーム
６    上振動絶縁接続部
７    下振動絶縁接続部
８    空気流通用穴
９    サブビーム接続用の切欠部
１０    梁部
１１    フック
１２，２０，２１ａ，２１ｂ，２７，２９    弾性緩衝体
１３    パーチクルボード
１４    フロ−リング材
１５    両端制振器
１６    中間制振部
１７    逆π型のビーム載置座
１８ａ，１８ｂ    π型台座
１９ａ，１９ｂ    脚体
２２ａ，２２ｂ    ナット
２３ａ，２３ｂ    ボルト頭部
２４ａ，２４ｂ    押えナット
２５    充填機
２６    充填穴
２８    中間帯状制振部
３０ａ，３０ｂ    スポンジ製の左右一対のガイド
３８    繋ぎ材
【図１】
0005594537.tif 000002
【図２】
0005594537.tif 000003
【図３】
0005594537.tif 000004
【図４】
0005594537.tif 000005
【図５】
0005594537.tif 000006
【図６】
0005594537.tif 000007
【図８】
0005594537.tif 000008
【図９】
0005594537.tif 000009
【図１０】
0005594537.tif 000010
【図１１】
0005594537.tif 000011